(57)【要約】      （修正有）【課題】装飾性を高めた内部に缶バッジを収納する缶バッジ用着せ替え装飾ケースを提供する。【解決手段】缶バッジケース１０の裏面にスナップボタンからなる装飾パーツ受け部が設けられ、装飾パーツ２０ａ、２０ｂを装飾パーツ受け部に着脱可能に装着する。装飾パーツは複数の異なる図柄の装飾パーツから成る。【選択図】図４
0003234030.tif 000002
【実用新案登録請求の範囲】
【請求項１】
内部に缶バッジを収納可能な軟質部材から成る缶バッジケースであって、
缶バッジケースの表面には内部の缶バッジ装飾面を視認可能な透明窓が設けられ、
缶バッジケースには缶バッジを出し入れ可能な取出し口が設けられ、
缶バッジケースの裏面には、装飾パーツ受け部が設けられ、
缶バッジケースとは別に作られた装飾パーツを前記装飾パーツ受け部に着脱可能に装着する、
ことを特徴とする缶バッジ用着せ替え装飾ケース。
【請求項２】
請求項１記載の缶バッジ用着せ替え装飾ケースであって、
前記装飾パーツは複数の異なる図柄の装飾パーツから成る、
ことを特徴とする缶バッジ用着せ替え装飾ケース。
【請求項３】
請求項２記載の缶バッジ用着せ替え装飾ケースであって、
前記複数の装飾パーツはひとつの共通テーマに沿った図柄を有する、
ことを特徴とする缶バッジ用着せ替え装飾ケース。
【請求項４】
請求項３記載の缶バッジ用着せ替え装飾ケースであって、
前記装飾パーツの図柄は前記缶バッジの装飾面と共通のテーマで描かれている、
ことを特徴とする缶バッジ用着せ替え装飾ケース。
【考案の詳細な説明】
【技術分野】
【０００１】
本考案は缶バッジケース、特に内部に収納した缶バッジを保護し、缶バッジの装飾面を視認しながら、缶バッジケースと一体の装飾性を楽しめる改良された缶バッジケースに関するものである。
【背景技術】
【０００２】
携帯可能な装飾品として缶バッジが広く用いられ、使用者の衣服あるいはバッグなどに装着され、装飾面としての模様、絵、写真などを選ぶことにより使用者の好みに合わせた装飾効果を容易に得ることができる。
【０００３】
このような缶バッジを保管あるいは移動する場合には、缶バッジを缶バッジ保護カバーに収納することが一般的である。このような保護カバーは各種の形態で多数販売され、使用者が容易に自己の缶バッジに合わせて購入することができる。
【０００４】
通常の場合、缶バッジ保護カバーは透明な円形ケースから成り、表面と裏面の周囲を貼り合わせ上部周囲に開口を設けることによって缶バッジを保護カバーに挿入しあるいは取り出すことができる。
【０００５】
従来の保護カバーでは、全体が透明なカバーから成り、使用者は缶バッジの装飾面を容易に視認することができる。
【先行技術】
【０００６】
各種販売されている透明な円形缶バッジ保護カバー
【考案の概要】
【考案が解決しようとする課題】
【０００７】
従来の缶バッジ保護カバーは前述したように、缶バッジの保護が主たる目的であったが、最近のように缶バッジの装飾図柄が極めて魅力的な装飾面を構成してくると、使用者は、この装飾面に合わせて更に関連する図柄を任意に追加、交換することを求めるように成ってきた。
【０００８】
これらの缶バッジ装飾面は、アニメの登場人物あるいはスポーツチーム、スポーツ選手、などとして広く人気のある装飾図柄に及んでおり、缶バッジカバーの使い方として、このような図柄を更に拡張して、これを仲間内などでは互いに見せ合い比較するような社会性のある携帯装飾品として使われることが望まれてきた。
【課題を解決するための手段】
【０００９】
上記課題を解決するために、本考案は
内部に缶バッジを収納可能な軟質部材から成る缶バッジケースであって、
缶バッジの表面には内部の缶バッジ装飾面を視認可能な透明窓が設けられ、
缶バッジケースには缶バッジを出し入れ可能な取出し口が設けられ、
缶バッジケースの裏面には、装飾パーツ受け部が設けられ、
缶バッジケースとは別に作られた装飾パーツを前記装飾パーツ受け部に着脱可能に装着する、
ことを特徴とする。
【００１０】
本考案によれば、装飾パーツによって缶バッジケース自体も使用者の好みに合った装飾図柄を提供することが可能と成る。
【００１１】
本考案は、更に
前記装飾パーツは複数の異なる図柄の装飾パーツから成る、
ことを特徴とする。
【００１２】
本考案によれば、缶バッジケースの裏面には複数の装飾パーツを着脱可能に装着することができ、これらの装飾パーツの図柄はそれぞれ独立していても或いは全体として統一した図柄とすることも好適である。
【００１３】
本考案によれば、
前記複数の装飾パーツはひとつの共通テーマに沿った図柄を有する、
ことを特徴とする。
【００１４】
本考案によれば、複数の装飾パーツは統一の共通テーマを有することも好適である。
【００１５】
本考案において、
前記装飾パーツの図柄は前記缶バッジの装飾面と共通のテーマで描かれている、
ことを特徴とする。
本考案によれば、缶バッジの装飾面と装飾パーツの図柄を共通のテーマに統一して楽しむことができる。
【考案の効果】
【００１６】
本考案によれば、缶バッジを収納した状態で缶バッジケースを含めて新たな装飾性を提供することができる。
【図面の簡単な説明】
【００１７】
【図１】本考案の実施形態を示す缶バッジケースの正面図である。
【図２】実施形態である缶バッジケースの背面図である。
【図３】本考案の実施形態で用いる装飾パーツの一例を示す正面図である。
【図４】図３に示した装飾パーツを取り付けた缶バッジケースを示す正面図である。
【図５】本考案にかかる装飾パーツの他の例を示す正面図である。
【図６】図５に示した装飾パーツを装着した缶バッジケースの正面図である。
【図７】本考案の実施形態であって、提げ紐を装飾パーツとする一例を示した分解正面図である。
【考案を実施するための形態】
【００１８】
図１、図２には本考案にかかる缶バッジケース１０の好適な実施形態が示され、この缶バッジケース１０は内部に缶バッジを収納可能な円型状から成り、その表面１０ａと裏面１０ｂとはそれらの全周端が張り合わされ、内部空間に缶バッジが収納可能である。缶バッジケース１０の裏面１０ｂと表面１０ａの外周は非透明の樹脂薄膜から成り、内部の缶バッジを視認することはできない。そして、表面１０ａの内周円形部分１０ｃは表面１０ａの外周部分と一体に設けられた樹脂薄膜から成り、この円形部分１０ｃは外部から視認可能な透明窓を形成している。したがって、この透明窓１０ｃを通して内部の缶バッジ装飾面を視認することができる。図１では、缶バッジケース１０には缶バッジが収納されておらず、裏面１０ｂの内面が透視されている。
【００１９】
もちろん、本考案において、缶バッジケース１０の表面１０ａ、裏面１０ｂも全て透明とし、内部の缶バッジをどこからでも視認可能とすることも可能である。
【００２０】
図２は図示した実施形態の缶バッジケースを裏から見た背面図であり、この裏面１０ｂには缶バッジケース１０に缶バッジを出し入れ可能な取り出し口１２が設けられている。
【００２１】
図示した実施形態において、前記取り出し口１２には裏面１０ｂに設けられたＵ字状の切り込み１４と、この切り込み１４の中央部に設けられた開き口１６が設けられている。したがって、使用者は爪などにより前記開き口１６から裏面１０ｂの一部を引き起こし、これによって裏面１０ｂが開口した取り出し口１２から缶バッジの挿入あるいは取り出しを容易に行うことができる。
【００２２】
本考案において、前記取り出し口は、缶バッジケース１０の表面１０ａと裏面１０ｂの上部を切り離して缶バッジの挿入あるいは取り出し口とすることも可能である。
【００２３】
本考案において特徴的なことは、缶バッジケース１０の裏面１０ｂには、装飾パーツ受け部が設けられていることであり、図示した実施形態においては、この装飾パーツ受け部は缶バッジケース１０の裏面１０ｂに固定された３個のスナップボタン１８ａ、１８ｂ、１８ｃから成る。そして、前記装飾パーツ受け部１８には、缶バッジケース１０とは別に作られた装飾パーツが着脱可能に装着される。本考案において、前記装飾パーツ受け部は、実施形態のスナップボタンばかりでなく、着脱可能な他の手段、例えば、マジックテープ（登録商標）その他の着脱部材等を利用することも可能である。
【００２４】
図３には、前記装飾パーツの一例が示されており、装飾パーツ２０ａ、２０ｂは鳥の羽状に形成された装飾パーツを構成しており、これらの装飾パーツ２０にはそれぞれ前記装飾パーツ受け部１８に着脱可能なスナップボタン２２ａ、２２ｂが固定されている。スナップボタン１８とスナップボタン２２とは周知のように雄雌のスナップボタンを形成し、両者は容易に着脱可能に装着することができる。
【００２５】
図４は、装飾パーツ２０を缶バッジケース１０の裏面に装着した状態を缶バッジケース１０の表から見た状態を示し、缶バッジケース１０に収納されている缶バッジの装飾面に示された画像（図４では未だ収納されていない）が缶バッジケース１０の裏面に装着された装飾パーツ、すなわち羽状の装飾パーツ２０と一体と成り、全体として躍動感のある装飾効果を与えている。
【００２６】
図５には、装飾パーツの他の例が示され、この帽子状装飾パーツ２４は、うさぎの耳を持った帽子状に形成され、その帽子背面にはスナップボタン２６が固定されている。
【００２７】
図６には、図５に示した帽子状装飾パーツ２４を缶バッジケース１０に装着した状態が示され、缶バッジケース１０内に収納された缶バッジの装飾画像（未収納）と装飾パーツであるうさぎの耳を持った帽子状装飾パーツ２４とが相まって単体では示すことのできない装飾効果を提供することができる。
【００２８】
この様に、本考案においては、缶バッジ装飾面に加えて缶バッジケースに装着された装飾パーツにより缶バッジケース全体の装飾効果を単なる缶バッジだけの装飾性より広く拡張し、缶バッジケースから外への広がりのある装飾効果を上げることが可能である。もちろん、この様な装飾効果は装飾パーツ単独の形状、装飾性に依存することもでき、或いは缶バッジの装飾面と合わせて１つの共通テーマに沿った図柄を構成することも可能である。
【００２９】
例えば、缶バッジケース１０に装着される複数の装飾パーツは、人気のあるアニメに登場する複数の登場人物を描いた装飾パーツとしてもよく、或いは登場人物の衣装、履き物などを模した装飾パーツとすることもできる。このとき缶バッジの装飾面にも対象となるアニメの登場人物或いは顔などを表現した図柄とすれば、全体として統一のある共通テーマを表現することが可能である。
【００３０】
また、缶バッジ所有者がスポーツファンである場合、自分がファンとなっているスポーツ選手のユニフォーム、帽子、シューズなどを模した装飾パーツを用いることも好適である。
【００３１】
図７は、本考案にかかる装飾パーツ受け部の他の利用方法を示し、缶バッジケース１０の裏面には、スナップボタン１８を利用して提げ紐２８のスナップボタン３０ａ、３０ｂが着脱可能に装着される。図７において、提げ紐２８はその表面に描く模様、色彩などにより、缶バッジケース１０の装飾性を高める飾りとすることも可能である。
【符号の説明】
【００３２】
１０  缶バッジケース
１０ａ  表面
１０ｂ  裏面
１０ｃ  透明窓
１２  取り出し口
１８  装飾パーツ受け部（スナップボタン）
２０  装飾パーツ
２２  スナップボタン
２４  帽子状装飾パーツ
２６  スナップボタン
２８  提げ紐
３０  スナップボタン
【図１】
0003234030.tif 000003
【図２】
0003234030.tif 000004
【図３】
0003234030.tif 000005
【図４】
0003234030.tif 000006
【図５】
0003234030.tif 000007
【図６】
0003234030.tif 000008
【図７】
0003234030.tif 000009